【事件の表示】
　特願２０１５−５５３０６６「天井懸架システム」拒絶査定不服審判事件〔平成２６年　７月２４日国際公開、ＷＯ２０１４／１１１４３７、平成２８年　２月　１日国内公表、特表２０１６−５０２９２６〕について、次のとおり審決する。
【結　論】
　本件審判の請求は、成り立たない。
【理　由】
第１　手続の経緯
　本願は、２０１４年（平成２６年）１月１６日（パリ条約による優先権主張外国庁受理　２０１３年１月１７日　欧州特許庁）を国際出願日とする出願であって、平成２９年１月１１日に手続補正書が提出され、同年１０月３１日付けで拒絶理由が通知され、平成３０年４月２７日に意見書及び手続補正書が提出され、同年７月２６日付けで最後の拒絶理由が通知され、平成３１年１月３０日に意見書及び手続補正書が提出されたが、同年４月５日付けで同年１月３０日にした手続補正が却下されるとともに拒絶査定（原査定）がされたところ、令和元年８月１６日に拒絶査定不服審判の請求がなされ、それと同時に手続補正がなされたものである。
第２　令和元年８月１６日にされた手続補正についての補正の却下の決定
［補正の却下の決定の結論］
　令和元年８月１６日にされた手続補正（以下「本件補正」ということがある。）を却下する。
［理由］
１　本件補正について
（１）本件補正後の特許請求の範囲の記載
　本件補正により、特許請求の範囲の記載は、次のとおり補正された。（下線は、補正箇所を示す。）
「　　【請求項１】
　長手方向を有する患者支持体と、
　Ｃアームを有するＸ線画像取得装置であって、前記Ｃアームの対向する端部に提供されるＸ線源及びＸ線検出器を有するＸ線画像取得装置と、
　レールコネクタ、画像取得コネクタ、並びに水平支持アーム及び垂直支持アームの少なくとも２つの支持アームを有する支持装置と、
　レール装置と、
を有する医用Ｘ線イメージングシステムであって、
　前記画像取得装置は、前記患者支持体に配される関心対象の画像情報を取得し、
　前記レール装置は、頭上に提供され、前記患者支持体の前記長手方向に直角な方向である長手レール方向に延び、
　前記支持装置は、前記レール装置に可動に取り付けられ、前記支持装置は、少なくとも前記レール装置に沿って可動であり、
　前記レールコネクタは、前記レール装置に前記支持装置を結合し、
　前記画像取得コネクタは、前記支持装置に前記画像取得装置を結合し、
　前記支持アームは、互いに可動に接続され、それにより前記画像取得コネクタを前記レールコネクタにリンクし、
　前記水平支持アームが、第１の下向き軸を中心にピボット回転可能であるように前記レールコネクタに取り付けられ、
　前記垂直支持アームが、第２の下向き軸を中心にピボット回転可能であるように前記水平支持アームにその第１の端部を取り付けられ、
　前記水平支持アームは、第１の取り付けポイントにおいて前記レールコネクタに取り付けられ、前記垂直支持アームは、第２の取り付けポイントにおいて前記水平支持アームに取り付けられ、前記第１の取り付けポイントと前記第２の取り付けポイントとの間の水平距離が調整可能であるように前記第１の取り付けポイント及び前記第２の取り付けポイントの少なくとも一方が前記水平支持アームに沿って移動可能であり、
　前記画像取得コネクタは、前記垂直支持アームの第２の端部に取り付けられ、前記画像取得装置は、前記垂直支持アームに対して可動であり、
　前記画像取得装置は、それぞれ異なる方向からの前記対象の画像取得を可能にするように前記支持装置に可動に取り付けられる、イメージングシステム。
　　【請求項２】
　前記レール装置が、前記患者支持体の上方に且つ側方に配される、請求項
１に
　　【請求項３】
　前記患者支持体は、予め決められた患者アクセスゾーンによって少なくとも部分的に囲まれ、前記レール装置は、前記患者アクセスゾーンの上方に及びその外側に配される、請求項
１に
　　【請求項４】
　前記患者支持体は、予め決められたラミナーフローゾーンに少なくとも部分的に位置し、前記レール装置は、前記ラミナーフローゾーンの外側に配される、請求項１乃至
３
　　【請求項５】
　前記支持装置は、前記画像取得装置を、前記画像取得装置が関心対象の画像情報を取得する動作位置と、前記画像取得装置が前記患者アクセスゾーンの外側に及び／又はラミナーフローゾーンの外側に提供されるパーキング位置と、に位置付けるように適応される、請求項１乃至
４
　　【請求項６】
　前記支持装置は、前記画像取得装置がスタンバイ位置に位置付けられることを可能にし、前記スタンバイ位置において、前記画像取得装置は前記患者アクセスゾーンの外側にある、請求項１乃至
５
　　【請求項７】
　前記Ｃアームは、前記画像取得コネクタに可動に取り付けられ、
　前記Ｃアームの取り付けは、ｉ）前記画像取得コネクタが水平軸を中心とする前記Ｃアームのピボット回転運動を提供するように、前記Ｃアームの対向する端部の間の中間部分の側方に、又はｉｉ）前記画像取得コネクタが垂直軸を中心とする前記Ｃアームのピボット回転運動を提供するように、２つの対向する端部の上側の端部の上に、提供される、請求項１乃至
６
　　【請求項８】
　処理された供給空気を提供する空気供給装置を更に有し、ラミナーフローゾーンを規定する前記患者支持体へ向かう層流気流の供給空気を供給するように、前記空気供給装置の供給空気出口が頭上に設けられる、請求項１乃至
７
　　【請求項９】
　可動の照明機器、可動のディスプレイ機器及びメディアラックを含むグループの中の少なくとも１つを有し、前記照明機器及び／又はディスプレイ機器及び／又はメディアラックが、頭上に及びラミナーエアゾーンの外側に載置される、請求項１乃至
８
（２）本件補正前の特許請求の範囲の記載
　本件補正前の、平成３０年４月２７日にされた手続補正により補正された特許請求の範囲の記載は次のとおりである。
「　　【請求項１】
　長手方向を有する患者支持体と、
　Ｃアームを有するＸ線画像取得装置であって、前記Ｃアームの対向する端部に提供されるＸ線源及びＸ線検出器を有するＸ線画像取得装置と、
　レールコネクタ、画像取得コネクタ、並びに水平支持アーム及び垂直支持アームの少なくとも２つの支持アームを有する支持装置と、
　レール装置と、
を有する医用Ｘ線イメージングシステムであって、
　前記画像取得装置は、前記患者支持体に配される関心対象の画像情報を取得し、
　前記レール装置は、頭上に提供され、前記患者支持体の前記長手方向に直角な方向である長手レール方向に延び、
　前記支持装置は、前記レール装置に可動に取り付けられ、前記支持装置は、少なくとも前記レール装置に沿って可動であり、
　前記レールコネクタは、前記レール装置に前記支持装置を結合し、
　前記画像取得コネクタは、前記支持装置に前記画像取得装置を結合し、
　前記支持アームは、互いに可動に接続され、それにより前記画像取得コネクタを前記レールコネクタにリンクし、
　前記水平支持アームが、第１の下向き軸を中心にピボット回転可能であるように前記レールコネクタに取り付けられ、
　前記垂直支持アームが、第２の下向き軸を中心にピボット回転可能であるように前記水平支持アームにその第１の端部を取り付けられ、
　前記画像取得コネクタは、前記垂直支持アームの第２の端部に取り付けられ、前記画像取得装置は、前記垂直支持アームに対して可動であり、
　前記画像取得装置は、それぞれ異なる方向からの前記対象の画像取得を可能にするように前記支持装置に可動に取り付けられる、イメージングシステム。
　　【請求項２】
　前記水平支持アームは、第１の取り付けポイントにおいて前記レールコネクタに取り付けられ、前記垂直支持アームは、第２の取り付けポイントにおいて前記水平支持アームに取り付けられ、前記第１の取り付けポイントと前記第２の取り付けポイントとの間の水平距離が調整可能である、請求項１に記載のイメージングシステム。
　　【請求項３】
　前記レール装置が、前記患者支持体の上方に且つ側方に配される、請求項１又は２に記載のイメージングシステム。
　　【請求項４】
　前記患者支持体は、予め決められた患者アクセスゾーンによって少なくとも部分的に囲まれ、前記レール装置は、前記患者アクセスゾーンの上方に及びその外側に配される、請求項１又は２に記載のイメージングシステム。
　　【請求項５】
　前記患者支持体は、予め決められたラミナーフローゾーンに少なくとも部分的に位置し、前記レール装置は、前記ラミナーフローゾーンの外側に配される、請求項１乃至４のいずれか１項に記載のイメージングシステム。
　　【請求項６】
　前記支持装置は、前記画像取得装置を、前記画像取得装置が関心対象の画像情報を取得する動作位置と、前記画像取得装置が前記患者アクセスゾーンの外側に及び／又はラミナーフローゾーンの外側に提供されるパーキング位置と、に位置付けるように適応される、請求項１乃至５のいずれか１項に記載のイメージングシステム。
　　【請求項７】
　前記支持装置は、前記画像取得装置がスタンバイ位置に位置付けられることを可能にし、前記スタンバイ位置において、前記画像取得装置は前記患者アクセスゾーンの外側にある、請求項１乃至６のいずれか１項に記載のイメージングシステム。
　　【請求項８】
　前記Ｃアームは、前記画像取得コネクタに可動に取り付けられ、
　前記Ｃアームの取り付けは、ｉ）前記画像取得コネクタが水平軸を中心とする前記Ｃアームのピボット回転運動を提供するように、前記Ｃアームの対向する端部の間の中間部分の側方に、又はｉｉ）前記画像取得コネクタが垂直軸を中心とする前記Ｃアームのピボット回転運動を提供するように、２つの対向する端部の上側の端部の上に、提供される、請求項１乃至７のいずれか１項に記載のイメージングシステム。
　　【請求項９】
　処理された供給空気を提供する空気供給装置を更に有し、ラミナーフローゾーンを規定する前記患者支持体へ向かう層流気流の供給空気を供給するように、前記空気供給装置の供給空気出口が頭上に設けられる、請求項１乃至８のいずれか１項に記載のイメージングシステム。
　　【請求項１０】
　可動の照明機器、可動のディスプレイ機器及びメディアラックを含むグループの中の少なくとも１つを有し、前記照明機器及び／又はディスプレイ機器及び／又はメディアラックが、頭上に及びラミナーエアゾーンの外側に載置される、請求項１乃至９のいずれか１項に記載のイメージングシステム。」
２　補正の適否
　本件補正のうち、請求項１に係る補正は、支持装置について、「前記水平支持アームは、第１の取り付けポイントにおいて前記レールコネクタに取り付けられ、前記垂直支持アームは、第２の取り付けポイントにおいて前記水平支持アームに取り付けられ、前記第１の取り付けポイントと前記第２の取り付けポイントとの間の水平距離が調整可能であるように前記第１の取り付けポイント及び前記第２の取り付けポイントの少なくとも一方が前記水平支持アームに沿って移動可能であ」ることを特定して限定する補正であって、補正前の請求項１に記載された発明と補正後の請求項１に記載された発明の産業上の利用分野及び解決しようとする課題が同一であるから、特許法第１７条の２第５項第２号に掲げる特許請求の範囲の減縮を目的とする補正である。
　そこで、本件補正後の請求項１に記載された発明（以下「本件補正発明」という。）が同条第６項において準用する同法第１２６条第７項の規定に適合するか（特許出願の際独立して特許を受けることができるものであるか）について、以下、検討する。
（１）本件補正発明は、上記１（１）の【請求項１】に記載したとおりのものである。
（２）引用文献の記載事項
ア　原査定の拒絶の理由で引用された本願の優先日前に頒布された刊行物である特開２００２―３０６４６１号公報（以下「引用文献１」という。）には、以下の記載がある（下線は当審において付加した。引用文献の記載において以下同様。）。
（引１−ア）「【０００１】
【発明の属する技術分野】本発明は、Ｘ線を発生する投射器ならびにＸ線を受信する検出器が配置されている移動可能に懸架された支持装置、たとえばＣアームを備えた万能型Ｘ線検査装置に関する。
【０００２】
【従来の技術】一方の端部に放射線発生器が、反対側に放射線受信器が配備された第１のＣアームを有するこの種のＸ線検査装置はたとえば米国特許第５４１０５８４号に記載されている。この第１のＣアームはこれとは別の第２のＣアームにより相応の支持装置を介してその円周面に沿って位置調節可能に支持されている。
【０００３】ここ数年間に種々の適用分野でのＸ線技術において様々な装置が開発されてきている。たとえば、心血管造影法、一般血管造影法、外科学、消化管診断法、肺診断法などのためそれぞれ特殊な装置が開発されている。
【０００４】多数の様々な特殊装置が存在することは当然のことながら種々の問題点を生じる。たとえば大きな取付けスペースが必要となるだけでなく、装置の稼動率したがって採算が悪くなるなどである。これを契機として万能型の装置を導入することが望まれている。さらには、異なった医療分野においてもオーバーラップが生じることが増加しているので、個々の用途ごとに特殊に設計された装置はしばしば専門的過ぎて、有効な利用が図れなくなってしまう。この関連で、システム費、特に一定の部品、たとえばＸ線検出器などの費用が大きな問題となる。
【０００５】費用の観点から、従来多くみられた大きさならびに型が種々異なる検出器を多数備えずに、できるだけ少数の型の検出器を使用し、可能な限り小型のものを使用することに努める必要がある。というのは、像システムおよび像処理では益々標準化が進められてきているからである。しかし小型の検出器では大版の像の撮影用にいくつかの像を合成する必要があり、その際従来公知の装置では投射のひずみが再三問題になっている。このためたとえば“脊髄写真”の撮影の際には従来、最大で約５ｃｍの像高さの比較的細い撮影フィルムのみが合成され、このため多数の撮影が必要となるので、検査時間が長くなり、装置の稼動率も悪くなる。
【０００６】
【発明が解決しようとする課題】本発明の課題は様々な診断目的に問題なく適合し、並列的に撮影された検出器像をエラーやゆがみなしに大版像に合成することができるような万能型Ｘ線検査装置およびその作動方法を提供することにある。」
（引１−イ）「【００１６】
【発明の実施形態】本発明の利点、特徴および詳細について以下に図面に示す実施例に基づき説明する。
【００１７】図１に示した本発明による
万能型Ｘ線検査装置は、天井に取付ける装置として構成されている
Ｃアーム１は天井における支持装置として
移動可能なように支承し
互いに旋回可能にヒンジ止めされた
支承用の腕木３、４および４ａによりこれらの腕木の旋回による相応の長手方向の移動が可能であり
通常の旋回軸５がＣアーム１を
旋回できるように配備されている
【００１８】本発明によるこのような万能型Ｘ線検査装置の特徴は第一に、
Ｘ線束を発生するための投射器６がＣアームに対して垂直な軸７を中心に旋回可能であり
Ｘ線検出器８
ａ‐Ｓｉ固体画像変換器
がその検出器面で移動可能である
検出器８のケースおよびＣアームの端部１０に支承されている腕木９を用いた旋回運動によって
患者ベッド１１
立て位置に傾斜できる横臥板１２を有している
Ｃアーム１の下端１３
【００１９】図２は既に図１の実施例で選択された旋回位置にある検出器８を備えた本発明によるＸ線検査装置を示しており、この検出器８はＸ線投射器６と等中心を持つシステムとして構成されている。
【００２０】図３は、患者ベッド１１の横臥板１２を立て位置に調整しかつＣアーム１を水平方向に旋回した本発明によるＸ線検査装置を示している。
【００２１】図４は、補助検出器８′あるいはフィルムもしくはメモリ箔をスタンド１５に取付けた場合における撮影を可能にするために、投射器６をＣアーム１から９０°前方へ回転させた、すなわち図１の軸７を中心に時計の針の進行方向に外側へ９０°旋回させた実施例を示している。
【００２２】
図５には
別の実施例が示されている
図１による位置から１８０°旋回している
固体画像変換器の検出器の据付け高さを極めて小さくできる
Ｃアームを多方面に旋回もしくは位置調節可能にする
本来の患者ベッド１１のほかに簡単なテーブルもしくはベッドにおける撮影もしくは透視が実施可能
（引１−ウ）【図１】
「
　　　　　　　　　　　　　　　　　　　　　　　　　　　」
（引１−エ）【図２】
「
　　　　　　　　　　　　　　　　　　　　　　　　　　　」
（引１−オ）【図３】
「
　　　　　　　　　　　　　　　　　　　　　　　　　　　」
（引１−カ）【図４】
「
　　　　　　　　　　　　　　　　　　　　　　　　　　　」
（引１−キ）【図５】
「
　　　　　　　　　　　　　　　　　　　　　　　　　　　」
イ　引用文献１に記載された発明
（ア）上記（引１−イ）の「【００１７】・・・万能型Ｘ線検査装置は、天井に取付ける装置として構成されている・・・Ｃアーム１は天井における支持装置として二重矢印２の方向へ移動可能なように支承してもよい。」との記載から、Ｃアーム１は天井に取付ける支持装置により移動可能に支承されることが読み取れる。
（イ）上記（引１−イ）に「【００１７】・・・Ｃアーム１は天井における支持装置として二重矢印２の方向へ移動可能なように支承してもよい。図示されている実施例では互いに旋回可能にヒンジ止めされた多数の支承用の腕木３、４および４ａによりこれらの腕木の旋回による相応の長手方向の移動が可能であり」との記載があり、（引１−ウ）の【図１】及び（引１−エ）の【図２】に横方向の支承用の腕木３及び４並びに縦方向の支承用の腕木４ａを介してＣアーム１が天井に取付けられた矩形部材に連結されていることが見て取れることから、Ｃアーム１の支持装置は、天井に取付けられた矩形部材、横方向の支承用の腕木３及び４並びに縦方向の支承用の腕木４ａにより構成されていることが読み取れる。
（ウ）上記（引１−イ）の「【００２２】図５には、本発明による万能型Ｘ線検査装置の別の実施例が示されている。この場合検出器８は、自由に移動可能なテーブルもしくはベッドに患者を載せて撮影ないし透視を実施するために、図１による位置から１８０°旋回している。この場合、固体画像変換器の検出器の据付け高さを極めて小さくできることが特に利点である。Ｃアームを多方面に旋回もしくは位置調節可能にすることにより、図５に示すように本来の患者ベッド１１のほかに簡単なテーブルもしくはベッドにおける撮影もしくは透視が実施可能となる。」との記載から、引用文献１の図１に示された実施例とは別の実施例である図５に示された実施例は、図１に示された実施例のＣアーム１が通常の旋回軸５の周りに９０°旋回可能である（【００１７】）のに対して、Ｃアーム１が通常の旋回軸５の周りに１８０°旋回可能とし、固体画像変換器である検出器８の据付け高さを極めて小さくできるようにしたものであると認められる。
（エ）上記（引１−イ）に「【００１７】・・・互いに旋回可能にヒンジ止めされた多数の支承用の腕木３、４および４ａによりこれらの腕木の旋回による相応の長手方向の移動が可能であり・・・【００２２】・・・Ｃアームを多方面に旋回もしくは位置調節可能にする」と多数の支承用の腕木３、４及び４ａが互いに旋回可能にヒンジ止めされていること及びＣアームが多方面に旋回可能であることが記載され、上記（引１−エ）の【図２】に示された腕木３の天井側の矩形部材に対する横方向の角度と、上記（引１−オ）の【図３】に示された腕木３の天井側の矩形部材に対する横方向の角度が異なること、上記（引１−エ）の【図２】に示された腕木４の腕木３に対する横方向の角度と、上記（引１−オ）の【図３】に示された腕木４の腕木３に対する横方向の角度が異なること、上記（引１−エ）の【図２】に示されたＣアーム１は腕木４に対して腕木３との連結部側を向いているのに対して、上記（引１−カ）の【図５】に示されたＣアーム１は腕木４に対して腕木３との連結部側とは反対側を向いていることから、腕木３は天井に取付けられた矩形部材に対して横方向に旋回可能にヒンジ止めされ、腕木４は腕木３に対して横方向に旋回可能にヒンジ止めされ、腕木４ａは腕木４に対して軸周りに旋回可能にヒンジ止めされているものと解される。
（オ）上記（引１−ウ）の【図１】から、Ｃアーム１は腕木４ａの下端に取付けられていることが見て取れる。
（カ）上記（引１−ウ）の【図１】から、Ｃアーム１の下端１３にＸ線束を発生するための投射器６が設けられ、Ｃアーム１の上端である端部１０に支承されている腕木９の他端にＸ線検出器８が設けられていることが見て取れる。
（キ）上記（引１−エ）の【図２】から、患者ベッド１１の横臥板１２上に寝ている患者の透過Ｘ線像を撮影することが見て取れる。
（ク）上記（引１−イ）の「【００２０】図３は、患者ベッド１１の横臥板１２を立て位置に調整しかつＣアーム１を水平方向に旋回した本発明によるＸ線検査装置を示している。」という記載を踏まえると、上記（引１−オ）の【図３】から、患者ベッド１１の横臥板１２を立て位置に調整しかつＣアーム１を水平方向に旋回した状態で、横臥板１２の前面に立っている患者の透過Ｘ線像を撮影することが見て取れる。
（ケ）上記（引１−イ）の「【００２１】図４は、補助検出器８′あるいはフィルムもしくはメモリ箔をスタンド１５に取付けた場合における撮影を可能にするために、投射器６をＣアーム１から９０°前方へ回転させた、すなわち図１の軸７を中心に時計の針の進行方向に外側へ９０°旋回させた実施例を示している。」という記載を踏まえると、上記（引１−カ）の【図４】から、軸７を中心に投射器６をＣアーム１から９０°前方へ回転させた状態で、スタンド１５に取付けた補助検出器８′に向かって立っている患者の透過Ｘ線像を撮影することが見て取れる。
（コ）上記（ア）ないし（ケ）を踏まえると、上記（引１−ア）ないし（引１−キ）の記載から、引用文献１には、
「　天井に取付ける装置として構成されている万能型Ｘ線検査装置であって、
　Ｃアーム１は天井に取付ける支持装置により移動可能に支承され、
　支持装置は、天井に取付けられた矩形部材、横方向の支承用の腕木３及び４並びに縦方向の支承用の腕木４ａにより構成され、
　腕木３は天井に取付けられた矩形部材に対して横方向に旋回可能にヒンジ止めされ、腕木４は腕木３に対して横方向に旋回可能にヒンジ止めされ、腕木４ａは腕木４に対して軸周りに旋回可能にヒンジ止めされており、Ｃアーム１はこれらの腕木の旋回による相応の長手方向の移動が可能であり、
　Ｃアーム１は腕木４ａの下端に取付けられ、通常の旋回軸５がＣアーム１を１８０°旋回できるように配備されており、
　Ｘ線束を発生するための投射器６が、Ｃアーム１に対して垂直な軸７を中心に旋回可能にＣアーム１の下端１３に設けられ、
　ａ‐Ｓｉ固体画像変換器であるＸ線検出器８がそのケース及びＣアーム１の上端である端部１０に支承されている腕木９を用いた旋回運動によってその検出器面で移動可能で、Ｘ線検出器８の据付け高さを極めて小さくできるように設けられている、
万能型Ｘ線検査装置と、
　立て位置に傾斜できる横臥板１２を有している患者ベッド１１とからなり、
　Ｃアーム１は多方面に旋回又は位置調節可能であり、
　患者ベッド１１の横臥板１２上に寝ている患者の透過Ｘ線像を撮影すること、
　患者ベッド１１の横臥板１２を立て位置に調整しかつＣアーム１を水平方向に旋回した状態で、横臥板１２の前面に立っている患者の透過Ｘ線像を撮影すること、
　軸７を中心に投射器６をＣアーム１から９０°前方へ回転させた状態で、スタンド１５に取付けた補助検出器８′に向かって立っている患者の透過Ｘ線像を撮影すること、
　自由に移動可能なテーブル又はベッドに患者を載せて撮影又は透視を実施すること、
ができる、
万能型Ｘ線検査装置と患者ベッド１１。」
の発明（以下「引用発明１」という。）が記載されていると認められる。
ウ　原査定の拒絶の理由で引用された本願の優先日前に頒布された刊行物である特開２００１―０３７７４７号公報（以下「引用文献６」という。）には、以下の記載がある。
（引６−ア）「【０００８】次に、血管造影検査（ＩＶＲ：Interventional radiology）において、通常の血管造影撮影像と、Ｘ線ＣＴ装置で撮影した横断像とを併用することで検査精度及び治療精度が向上することが知られている。従来、これを可能とする図２０に示すような循環器用保持装置３００とＸ線ＣＴ装置３０１を組み合わせたＩＶＲ−ＣＴシステムが知られている。
【０００９】循環器用保持装置３００は、図１８を用いて説明した循環器用保持装置と同様にＸ線発生部２５０とＸ線検出部２５１とがＣ型アーム２５２の両端部に対向配置され固定保持されている。Ｃ型アーム２５２は、ホルダ支柱部２５４に支軸回転可能に保持されたホルダ２５３によってスライド回転可能に保持されており、ホルダ支柱部２５４は、このホルダ支柱部２５４を支柱回転可能に支持する天井取り付け部２５５に取り付けられている。天井取り付け部２５５は、天井に設けられたレール２６０に取り付けられており、このレール２６０に沿って当該保持装置を被検体の体軸方向と直交する方向に移動可能としている。」
（引６−イ）【図２０】
「
　　　　　　　　　　　　　　　　　　　　　　　　　　　」
エ　引用文献６に記載された技術事項
上記（引６−ア）及び（引６−イ）の記載から、引用文献６には、
「　通常の血管造影撮影像と、Ｘ線ＣＴ装置で撮影した横断像とを併用することを可能とする、循環器用保持装置３００とＸ線ＣＴ装置３０１を組み合わせたＩＶＲ−ＣＴシステムにおいて、Ｃ型アーム２５２の両端部にＸ線発生部２５０とＸ線検出部２５１とが対向配置され、天井取り付け部２５５に取り付けられているホルダ支柱部２５４に保持されたホルダ２５３によってＣ型アーム２５２が保持されている循環器用保持装置３００を、天井取り付け部２５５を天井に設けられたレール２６０に取り付けることによって、このレール２６０に沿って被検体の体軸方向と直交する方向に移動可能とすること」
という技術事項（以下「引用文献６技術事項」という。）が記載されていると認められる。
オ　原査定の拒絶の理由で引用された本願の優先日前に頒布された刊行物である特開２００１―１３７２２１号公報（以下「引用文献７」という。）には、以下の記載がある。
（引７−ア）「【００２２】−第２実施形態−
図６は、本発明の第２実施形態にかかる
バイプレーン血管撮影・ＣＴ装置３００
Ｘ線管１３２，Ｘ線受像装置１３１，ラテラルＣアーム１３３よりなる側面方向アーム１３０が天井レール１３５に沿って天板１１の横手方向に水平移動し
ＣＴ撮影する時は
側面方向アーム１３０をＣＴ撮影の邪魔にならない位置へ退避させ
（引７−イ）【図６】
「
　　　　　　　　　　　　　　　　　　　　　　　　　　　」
カ　上記（引７−ア）及び（引７−イ）の記載から、引用文献７には、
「　バイプレーン血管撮影・ＣＴ装置３００において、Ｘ線管１３２、Ｘ線受像装置１３１及びラテラルＣアーム１３３よりなる側面方向アーム１３０を天井レール１３５に沿って天板１１の横手方向に水平移動可能とすること」
という技術事項（以下「引用文献７技術事項」という。）が記載されていると認められる。
キ　本願の優先日前に頒布された刊行物である米国特許出願公開第２００４／０００８８２０号明細書（以下「引用文献８」という。）には、以下の記載がある。
（引８−ア）「[0020] FIG. 1 shows an x-ray support device 1, including a radiation source 2 and a radiation receiver 3, which are disposed jointly on a C-curve bracket 4. The C-curve bracket 4 in the example shown is disposed on a vertical support 5 (e.g. beam, girder, carrier or other support), which is capable of telescoping (see double arrow A). Relative to the vertical support 5, the C-curve bracket can be rotated on the one hand about the vertical axis−see double arrow B−and on the other the C-curve bracket is displaceable relative to itself along a curved path−see double arrow C.
[0021] The vertical support 5 in turn is disposed on a second boom 6 (e.g. cantilever, beam, gantry or other support) and is displaceable along it; see double arrow D. The second boom 6 is in turn rotatable on a first boom 7 (double arrow E) and is disposed longitudinally displaceably (double arrow F) on it. The first vertical support is in turn mounted rotatably (double arrow G) on the ceiling.
[0022] As can be seen, the proposed supporting of the radiation source and the radiation receiver, that is, the C-curve, allows manifold possibilities in terms of motion because of the displacement axis and pivot axis realized, so that the radiation source and radiation receiver can be positioned virtually arbitrarily in space. This possibility is shown for instance in FIG. 2, where in addition to the x-ray device 1 of FIG. 1, a patient support table 8 is also shown. As can be seen, the C-curve bracket 4 has been displaced relative to the vertical support 5 such that the radiation source 2 is positioned on the left of the patient support table 8, and the radiation receiver 3 is positioned on the right of the patient support table 8. By simple rotation about the vertical axis (double arrow B) formed via the vertical support 5, the radiation direction can be transposed; that is, the radiation source 2 can be moved to the right side and the radiation receiver 3 to the left side of the patient support table.
[0023] FIG. 3 shows a further x-ray support device, which up to this point similar to the x-ray support device 1 of FIG. 1. Here, however, the first vertical support for the boom 7 is disposed on a displacement system 10. The displacement system 10 includes a first rail system 11, on which the first boom 7 is disposed rotatably (double arrow G) and longitudinally displaceably (double arrow H). The first rail system 11 is in turn, as indicated by the cross or normal axis symbol I, displaceable on a second rail system 12 disposed on the ceiling. Overall, an x-y displaceability is achieved; that is, the mobility for adjusting the positioning of the radiation source 2 and the radiation receiver 3 is even more comprehensive, extensive or has an even greater scope.」
（和訳：［００２０］　図１は、
Ｃ曲線ブラケット４に連帯的に配置された放射線源２及び放射線受信器３を含む、Ｘ線支持装置１
Ｃ曲線ブラケット４は
垂直支持体５
に配置され
垂直軸周りに回転可能
［００２１］　次ぎに、
垂直支持体５は、第２ブーム６
に配置され、それに沿って変位可能である
［００２２］　図から分かるように、提案された放射線源及び放射線検出器の支持体、すなわち
Ｃ曲線は、変位軸及び旋回軸の実現により動作において多様な可能性を与え
［００２３］　図３はさらなるＸ線支持装置を示し、これまでの点で図１のＸ線支持装置１と同様である。しかしながら、ここでは、ブーム７の第１垂直支持体が変位システム１０に配置されている。変位システム１０は、第１のレールシステム１１を含み、第１ブーム７はそれに回動可能（双方向矢印Ｇ）かつ長手方向変位可能（双方向矢印Ｈ）に配置されている。次ぎに、第１のレールシステム１１は、交差又は垂直軸符号Ｉで示すように、天井に配置された第２のレールシステム１２上で変位可能である。全体として、ｘ−ｙ移動可能性が達成される。すなわち、放射線源２及び放射線受信器３の位置決め調整の機動性は、更により包括的で広範であり、又は更に大きい範囲を有している。）
（引８−イ）ＦＩＧ　１
「
　　　　　　　　　　　　　　　　　　　　　　　　　　　」
（引８−ウ）FIG 3
「
　　　　　　　　　　　　　　　　　　　　　　　　　　　」
ク　引用文献８に記載された技術事項
上記（引８−ア）ないし（引８−ウ）の記載から、引用文献８には、
「　Ｃ曲線ブラケット４に連帯的に配置された放射線源２及び放射線受信器３を含む、Ｘ線支持装置１において、第２ブーム６に配置されてそれに沿って変位可能である垂直支持体５にＣ曲線ブラケット４を垂直軸周りに回転可能に配置し、変位軸及び旋回軸の実現によりＣ曲線ブラケット４の動作に多様な可能性を与えること」
という技術事項（以下「引用文献８技術事項」という。）が記載されていると認められる。
（３）本件補正発明と引用発明１との対比
ア　引用発明１の「立て位置に傾斜できる横臥板１２を有している患者ベッド１１」は、本件補正発明の「長手方向を有する患者支持体」に相当する。
イ　引用発明１の「Ｃアーム１」、「Ｘ線束を発生するための投射器６」及び「ａ‐Ｓｉ固体画像変換器であるＸ線検出器８」は、それぞれ本件補正発明の「Ｃアーム」、「Ｘ線源」及び「Ｘ線検出器」に相当する。
　そして、引用発明１の「Ｃアーム１」、「Ｃアーム１に対して垂直な軸７を中心に旋回可能にＣアーム１の下端１３に設けられ」た「Ｘ線束を発生するための投射器６」及び「そのケース及びＣアーム１の上端である端部１０に支承されている腕木９を用いた旋回運動によってその検出器面で移動可能で、Ｘ線検出器８の据付け高さを極めて小さくできるように設けられている」「ａ‐Ｓｉ固体画像変換器であるＸ線検出器８」は、併せて本件補正発明の「Ｃアームを有するＸ線画像取得装置であって、前記Ｃアームの対向する端部に提供されるＸ線源及びＸ線検出器を有するＸ線画像取得装置」に相当する。
ウ　引用発明１の「天井に取付けられた矩形部材」は、「横方向の支承用の腕木３及び４並びに縦方向の支承用の腕木４ａ」を天井に取付けるための部材であり、本件補正発明の「レールコネクタ」は、「頭上に提供され」る「レール装置」に「水平支持アーム及び垂直支持アームの少なくとも２つの支持アームを有する支持装置」「を結合」する部材である。
　そうすると、引用発明１の「天井に取付けられた矩形部材」と、本件補正発明の「レールコネクタ」とは、「頭上コネクタ」で共通する。
エ　引用発明１の「Ｃアーム１は腕木４ａの下端に取付けられ、通常の旋回軸５がＣアーム１を１８０°旋回できるように配備されて」いるところ、上記イから引用発明１の「Ｃアーム１」は本件補正発明の「Ｘ線画像取得装置」の「Ｃアーム」に相当するから、引用発明１の「Ｃアーム１」が「腕木４ａの下端に取付けられ、通常の旋回軸５がＣアーム１を１８０°旋回できるように配備されて」いる部分は、本件補正発明の「画像取得コネクタ」に相当する。
オ　引用発明１の「横方向の支承用の腕木」「４」及び「縦方向の支承用の腕木４ａ」は、それぞれ本件補正発明の「水平支持アーム」及び「垂直支持アーム」に相当する。
　そうすると、引用発明１の「横方向の支承用の腕木３及び４並びに縦方向の支承用の腕木４ａ」は、本件補正発明の「水平支持アーム及び垂直支持アームの少なくとも２つの支持アーム」に含まれる。
カ　上記ウないしオを踏まえると、引用発明１の「天井に取付けられた矩形部材、横方向の支承用の腕木３及び４並びに縦方向の支承用の腕木４ａにより構成され」、「腕木４ａの下端に」「Ｃアーム１」が「取付けられ、通常の旋回軸５がＣアーム１を１８０°旋回できるように配備されて」いる「支持装置」と、本件補正発明の「レールコネクタ、画像取得コネクタ、並びに水平支持アーム及び垂直支持アームの少なくとも２つの支持アームを有する支持装置」とは、「頭上コネクタ、画像取得コネクタ、並びに水平支持アーム及び垂直支持アームの少なくとも２つの支持アームを有する支持装置」で共通する。
キ　引用発明１の「万能型Ｘ線検査装置と患者ベッド１１」は、併せて本件補正発明の「医用Ｘ線イメージングシステム」である「イメージングシステム」に相当する。
ク　上記イから、引用発明１の「万能型Ｘ線検査装置」に含まれる「Ｃアーム１」、「Ｘ線束を発生するための投射器６」及び「Ｘ線検出器８」は併せて本件補正発明の「Ｘ線画像取得装置」に相当するところ、引用発明１の「万能型Ｘ線検査装置」が「患者ベッド１１の横臥板１２上に寝ている患者の透過Ｘ線像を撮影する」ことは、本件補正発明の「前記画像取得装置は、前記患者支持体に配される関心対象の画像情報を取得し」を満たす。
ケ　上記ウ及びオを踏まえると、引用発明１の「腕木３は天井に取付けられた矩形部材に対して横方向に旋回可能にヒンジ止めされ、腕木４は腕木３に対して横方向に旋回可能にヒンジ止めされ、腕木４ａは腕木４に対して軸周りに旋回可能にヒンジ止めされ」と、本件補正発明の「前記レールコネクタは、前記レール装置に前記支持装置を結合し」とは、「前記頭上コネクタは、頭上に前記支持装置を結合し」で共通する。
コ　上記エを踏まえると、引用発明１の「Ｃアーム１は腕木４ａの下端１３に取付けられ、通常の旋回軸５がＣアーム１を１８０°旋回できるように配備されて」いることは、本件補正発明の「前記画像取得コネクタは、前記支持装置に前記画像取得装置を結合し」を満たす。
サ　上記ウ及びエを踏まえると、引用発明１の「腕木３は天井に取付けられた矩形部材に対して横方向に旋回可能にヒンジ止めされ、腕木４は腕木３に対して横方向に旋回可能にヒンジ止めされ、腕木４ａは腕木４に対して軸周りに旋回可能にヒンジ止めされており」、「Ｃアーム１は腕木４ａの下端１３に取付けられ、通常の旋回軸５がＣアーム１を１８０°旋回できるように配備されており」と、本件補正発明の「前記支持アームは、互いに可動に接続され、それにより前記画像取得コネクタを前記レールコネクタにリンクし」とは、「前記支持アームは、互いに可動に接続され、それにより前記画像取得コネクタを前記頭上コネクタにリンクし」で共通する。
シ　上記ウ及びオを踏まえると、引用発明１の「腕木３は天井に取付けられた矩形部材に対して横方向に旋回可能にヒンジ止めされ、腕木４は腕木３に対して横方向に旋回可能にヒンジ止めされ」と、本件補正発明の「前記水平支持アームが、第１の下向き軸を中心にピボット回転可能であるように前記レールコネクタに取り付けられ」とは、「前記水平支持アームが、第１の下向き軸を中心にピボット回転可能であるように前記頭上コネクタに連結され」で共通する。
ス　上記オを踏まえると、引用発明１の「腕木４ａは腕木４に対して軸周りに旋回可能にヒンジ止めされており」は、本件補正発明の「前記垂直支持アームが、第２の下向き軸を中心にピボット回転可能であるように前記水平支持アームにその第１の端部を取り付けられ」に相当する。
セ　引用発明１の「腕木３」が「天井に取付けられた矩形部材に対して横方向に旋回可能にヒンジ止めされ」ている位置は、「腕木４」が「腕木３」を介して「天井に取付けられた矩形部材」に連結される位置である限りにおいて、本件補正発明の「第１の取り付けポイント」に相当する。
　そして、上記ウ及びオを踏まえると、引用発明１の「腕木３は天井に取付けられた矩形部材に対して横方向に旋回可能にヒンジ止めされ、腕木４は腕木３に対して横方向に旋回可能にヒンジ止めされ」と、本件補正発明の「前記水平支持アームは、第１の取り付けポイントにおいて前記レールコネクタに取り付けられ」とは、「前記水平支持アームは、第１の取り付けポイントにおいて前記頭上コネクタに連結され」で共通する。
ソ　上記オを踏まえると、引用発明１の「腕木４ａは腕木４に対して軸周りに旋回可能にヒンジ止めされており」は、本件補正発明の「前記垂直支持アームは、第２の取り付けポイントにおいて前記水平支持アームに取り付けられ」に相当する。
タ　上記ウ及びオを踏まえると、引用発明１の「腕木３は天井に取付けられた矩形部材に対して横方向に旋回可能にヒンジ止めされ、腕木４は腕木３に対して横方向に旋回可能にヒンジ止めされ、腕木４ａは腕木４に対して軸周りに旋回可能にヒンジ止めされており、Ｃアーム１はこれらの腕木の旋回による相応の長手方向の移動が可能であり」と、本件補正発明の「前記第１の取り付けポイントと前記第２の取り付けポイントとの間の水平距離が調整可能であるように前記第１の取り付けポイント及び前記第２の取り付けポイントの少なくとも一方が前記水平支持アームに沿って移動可能であり」とは、「前記第１の取り付けポイントと前記第２の取り付けポイントとの間の水平距離が調整可能であるように前記第２の取り付けポイントが前記第１の取り付けポイントに対して移動可能であり」で共通する。
チ　上記エを踏まえると、引用発明１の「Ｃアーム１は腕木４ａの下端１３に取付けられ、通常の旋回軸５がＣアーム１を１８０°旋回できるように配備されており」、「Ｃアーム１は多方面に旋回又は位置調節可能であり」は、本件補正発明の「前記画像取得コネクタは、前記垂直支持アームの第２の端部に取り付けられ、前記画像取得装置は、前記垂直支持アームに対して可動であり、
　前記画像取得装置は、それぞれ異なる方向からの前記対象の画像取得を可能にするように前記支持装置に可動に取り付けられる」を満たす。
（４）そうすると、本件補正発明と引用発明１とは、
「　長手方向を有する患者支持体と、
　Ｃアームを有するＸ線画像取得装置であって、前記Ｃアームの対向する端部に提供されるＸ線源及びＸ線検出器を有するＸ線画像取得装置と、
　頭上コネクタ、画像取得コネクタ、並びに水平支持アーム及び垂直支持アームの少なくとも２つの支持アームを有する支持装置と、
を有する医用Ｘ線イメージングシステムであって、
　前記画像取得装置は、前記患者支持体に配される関心対象の画像情報を取得し、
　前記頭上コネクタは、頭上に前記支持装置を結合し、
　前記画像取得コネクタは、前記支持装置に前記画像取得装置を結合し、
　前記支持アームは、互いに可動に接続され、それにより前記画像取得コネクタを前記頭上コネクタにリンクし、
　前記水平支持アームが、第１の下向き軸を中心にピボット回転可能であるように前記頭上コネクタに連結され、
　前記垂直支持アームが、第２の下向き軸を中心にピボット回転可能であるように前記水平支持アームにその第１の端部を取り付けられ、
　前記水平支持アームは、第１の取り付けポイントにおいて前記頭上コネクタに連結され、前記垂直支持アームは、第２の取り付けポイントにおいて前記水平支持アームに取り付けられ、前記第１の取り付けポイントと前記第２の取り付けポイントとの間の水平距離が調整可能であるように前記第２の取り付けポイントが前記第１の取り付けポイントに対して移動可能であり、
　前記画像取得コネクタは、前記垂直支持アームの第２の端部に取り付けられ、前記画像取得装置は、前記垂直支持アームに対して可動であり、
　前記画像取得装置は、それぞれ異なる方向からの前記対象の画像取得を可能にするように前記支持装置に可動に取り付けられる、イメージングシステム。」
の発明である点で一致し、次の２点において相違する。
（相違点１）
　頭上コネクタ、画像取得コネクタ、並びに水平支持アーム及び垂直支持アームの少なくとも２つの支持アームを有する支持装置の取付けに関して、本件補正発明においては、別途「頭上に提供され、前記患者支持体の前記長手方向に直角な方向である長手レール方向に延び」る「レール装置」を有しており、「頭上コネクタ」が「レールコネクタ」であって、「前記レールコネクタは、前記レール装置に前記支持装置を結合し」、「前記支持装置は、前記レール装置に可動に取り付けられ、前記支持装置は、少なくとも前記レール装置に沿って可動であ」るのに対し、引用発明１においては、頭上コネクタが「天井に取付けられた矩形部材」であって、「支持装置」は「天井に取付けられ」る点。
（相違点２）
　前記第１の取り付けポイントと前記第２の取り付けポイントとの間の水平距離が調整可能であるように前記第２の取り付けポイントが前記第１の取り付けポイントに対して移動可能であることに関連して、本件補正発明においては、「前記水平支持アームが、第１の下向き軸を中心にピボット回転可能であるように前記レールコネクタに取り付けられ」ていることから、「第１の取り付けポイント」が「前記水平支持アーム」が「前記レールコネクタに取り付けられ」る位置であり、「前記第１の取り付けポイント及び前記第２の取り付けポイントの少なくとも一方が前記水平支持アームに沿って移動可能であ」るのに対し、引用発明１においては、「腕木３は天井に取付けられた矩形部材に対して横方向に旋回可能にヒンジ止めされ、腕木４は腕木３に対して横方向に旋回可能にヒンジ止めされ」ることから、「第１の取り付けポイント」が「横方向の支承用の腕木３」が「天井に取付けられた矩形部材に対して」「ヒンジ止めされ」る位置であり、「腕木４ａ」が「腕木４に対して」「ヒンジ止めされて」いる位置が「横方向の支承用の腕木３及び４」「の旋回による相応の長手方向の移動が可能であ」る点。
（５）判断
ア　上記各相違点について検討する。
（ア）相違点１について
　Ｃアーム１は多方面に旋回又は位置調節可能であり、患者ベッド１１の横臥板１２上に寝ている患者の透過Ｘ線像を撮影すること、患者ベッド１１の横臥板１２を立て位置に調整しかつＣアーム１を水平方向に旋回した状態で、横臥板１２の前面に立っている患者の透過Ｘ線像を撮影すること、軸７を中心に投射器６をＣアーム１から９０°前方へ回転させた状態で、スタンド１５に取付けた補助検出器８′に向かって立っている患者の透過Ｘ線像を撮影すること、及び、自由に移動可能なテーブル又はベッドに患者を載せて撮影又は透視を実施することができる引用発明１において、Ｃアーム１の可動性を向上させることは自明な課題であるといえる。
　また、（引１−ア）の「【０００４】多数の様々な特殊装置が存在することは当然のことながら種々の問題点を生じる。たとえば大きな取付けスペースが必要となるだけでなく、装置の稼動率したがって採算が悪くなるなどである。これを契機として万能型の装置を導入することが望まれている。さらには、異なった医療分野においてもオーバーラップが生じることが増加しているので、個々の用途ごとに特殊に設計された装置はしばしば専門的過ぎて、有効な利用が図れなくなってしまう。この関連で、システム費、特に一定の部品、たとえばＸ線検出器などの費用が大きな問題となる。」との記載によれば、引用発明１は、省スペース化、稼働率向上及び費用削減という問題に対処するために万能型Ｘ線検査装置の形態を採用しているものと解されるが、技術常識から見て万能化には限界があること、病院等において使用可能な検査スペースにも制限があることを考慮すると、引用発明１を他の検査装置と同じ検査室に配置することも想定されているものと解される。
　そうすると、引用発明１は、他の検査装置と共存するための検査室スペースの有効活用も、視野に入れているものと認められる。
　ここで、引用文献６には、通常の血管造影撮影像と、Ｘ線ＣＴ装置で撮影した横断像とを併用することを可能とする、循環器用保持装置３００とＸ線ＣＴ装置３０１を組み合わせたＩＶＲ−ＣＴシステムにおいて、Ｃ型アーム２５２の両端部にＸ線発生部２５０とＸ線検出部２５１とが対向配置され、天井取り付け部２５５に取り付けられているホルダ支柱部２５４に保持されたホルダ２５３によってＣ型アーム２５２が保持されている循環器用保持装置３００を、天井取り付け部２５５を天井に設けられたレール２６０に取り付けることによって、このレール２６０に沿って被検体の体軸方向と直交する方向に移動可能とすることという引用文献６技術事項が記載されている。
　また、引用文献７には、バイプレーン血管撮影・ＣＴ装置３００において、Ｘ線管１３２、Ｘ線受像装置１３１及びラテラルＣアーム１３３よりなる側面方向アーム１３０を天井レール１３５に沿って天板１１の横手方向に水平移動可能とすることという引用文献７技術事項が記載されている。
　引用文献６に記載されたＩＶＲ−ＣＴシステム及び引用文献７に記載されたバイプレーン血管撮影・ＣＴ装置３００は、いずれもＸ線血管撮像装置とＸ線ＣＴ装置を組み合わせたシステムであるが、Ｃ型アームの両端にＸ線源とＸ線検出器を備えたＸ線撮像装置として引用発明１と共通性を有している。
　そうすると、引用文献１、６及び７に接した当業者であれば、引用発明１のＣアーム１の可動性を向上させるために、また、検査室スペースを有効活用するために、患者ベッド１１に交差する方向のレールを天井に配置し、「天井に取付けられた矩形部材」に代えてレールに移動可能に取り付けられる部材を採用して上記相違点１に係る本件補正発明の発明特定事項を得ることは、容易に想到し得ることである。
（イ）相違点２について
　（引１−イ）の「【００１７】図１に示した本発明による万能型Ｘ線検査装置は、天井に取付ける装置として構成されている・・・Ｃアーム１は天井における支持装置として二重矢印２の方向へ移動可能なように支承してもよい。図示されている実施例では互いに旋回可能にヒンジ止めされた多数の支承用の腕木３、４および４ａによりこれらの腕木の旋回による相応の長手方向の移動が可能であり」との記載によれば、引用発明１が「横方向の支承用の腕木３及び４」を採用している理由は、これらの腕木の旋回によりＣアーム１を図１の二重矢印２の方向へ移動可能とするためであり、Ｃアーム１を図１の二重矢印２の方向へ移動可能とするための手段は「横方向の支承用の腕木３及び４」に限定されないものと解される。
　引用文献８には、Ｃ曲線ブラケット４に連帯的に配置された放射線源２及び放射線受信器３を含む、Ｘ線支持装置１において、第２ブーム６に配置されてそれに沿って変位可能である垂直支持体５にＣ曲線ブラケット４を垂直軸周りに回転可能に配置し、変位軸及び旋回軸の実現によりＣ曲線ブラケット４の動作に多様な可能性を与えることという引用文献８技術事項が記載されている。
　そうすると、引用発明１において、Ｃアーム１を図１の二重矢印２の方向へ移動可能とするための手段として引用文献８技術事項の変位軸及び旋回軸による曲線ブラケット４の移動機構を採用し、旋回可能にヒンジ止めされ横方向の支承用の腕木３及び４を横方向の支承用の腕木４のみとして天井に取付けられた矩形部材に対して横方向に旋回可能にヒンジ止めし、横方向の支承用の腕木４に軸周りに旋回可能にヒンジ止めされた縦方向の支承用の腕木４ａを横方向の支承用の腕木４に沿って変位可能とすることにより、上記相違点２に係る本件補正発明の発明特定事項を得ることは、当業者であれば容易に想到し得ることである。
イ　本件補正発明の奏する作用効果
　本件補正発明によってもたらされる効果は、引用文献１及び６ないし８の記載事項から当業者が予測し得る程度を超えるものではない。
ウ　したがって、本件補正発明は、引用発明１及び引用文献６技術事項ないし引用文献８技術事項に基づいて当業者が容易に発明をすることができたものである。
　よって、本件補正発明は、特許法第２９条第２項の規定により、特許出願の際独立して特許を受けることができないものである。
３　補正の却下の決定のむすび
　以上のとおり、本件補正は、特許法第１７条の２第６項において準用する同法第１２６条第７項の規定に違反するので、同法第１５９条第１項の規定において読み替えて準用する同法第５３条第１項の規定により却下されるべきものである。
　よって、上記補正の却下の決定の結論のとおり決定する。
第３　本願発明について
１　本願発明
　令和元年８月１６日にされた手続補正は、上記のとおり却下されたので、本願の請求項に係る発明は、平成３０年４月２７日にされた手続補正により補正された特許請求の範囲の請求項１ないし１０に記載された事項により特定されるものであるところ、その請求項１に係る発明（以下「本願発明」という。）は、その請求項１に記載された事項により特定される、上記第２［理由］１（２）に記載のとおりのものである。
２　原査定の拒絶の理由
　原査定の拒絶の理由は、この出願の請求項１ないし１０に係る発明は、本願の優先日前に頒布された又は電気通信回線を通じて公衆に利用可能となった下記の引用文献１ないし７に記載された発明に基づいて、その優先日前にその発明の属する技術の分野における通常の知識を有する者が容易に発明をすることができたものであるから、特許法２９条２項の規定により特許を受けることができない、というものである。
引用文献１：特開２００２−３０６４６１号公報
引用文献２：特表２０１１−５１２９８６号公報
引用文献３：特開２００４−１３５７７７号公報
引用文献４：特開２０１２−２３９６３３号公報
引用文献５：特開２００３−２８９４７５号公報
引用文献６：特開２００１−０３７７４７号公報
引用文献７：特開２００１−１３７２２１号公報
　なお、引用文献２は、請求項４、５及び１０に対して、引用文献３は、請求項６及び７に対して、引用文献４は、請求項９に対して、引用文献５は、請求項１０に対して、それぞれ引用されたものである。
３　引用文献について
　原査定の拒絶の理由で引用された引用文献１、６及び７の記載事項及び引用発明は、上記第２［理由］２（２）アないしカに記載したとおりである。
４　対比・判断
（１）本願発明は、上記第２［理由］２（３）ないし（５）で検討した本件補正発明から、支持装置について、「前記水平支持アームは、第１の取り付けポイントにおいて前記レールコネクタに取り付けられ、前記垂直支持アームは、第２の取り付けポイントにおいて前記水平支持アームに取り付けられ、前記第１の取り付けポイントと前記第２の取り付けポイントとの間の水平距離が調整可能であるように前記第１の取り付けポイント及び前記第２の取り付けポイントの少なくとも一方が前記水平支持アームに沿って移動可能であ」るという限定事項を削除したものである。
（２）そこで、上記第２［理由］２（３）の本件補正発明と引用発明１との対比に倣って本願発明と引用発明１とを対比すると、両者は、
「　長手方向を有する患者支持体と、
　Ｃアームを有するＸ線画像取得装置であって、前記Ｃアームの対向する端部に提供されるＸ線源及びＸ線検出器を有するＸ線画像取得装置と、
　頭上コネクタ、画像取得コネクタ、並びに水平支持アーム及び垂直支持アームの少なくとも２つの支持アームを有する支持装置と、
を有する医用Ｘ線イメージングシステムであって、
　前記画像取得装置は、前記患者支持体に配される関心対象の画像情報を取得し、
　前記頭上コネクタは、頭上に前記支持装置を結合し、
　前記画像取得コネクタは、前記支持装置に前記画像取得装置を結合し、
　前記支持アームは、互いに可動に接続され、それにより前記画像取得コネクタを前記頭上コネクタにリンクし、
　前記水平支持アームが、第１の下向き軸を中心にピボット回転可能であるように前記頭上コネクタに連結され、
　前記垂直支持アームが、第２の下向き軸を中心にピボット回転可能であるように前記水平支持アームにその第１の端部を取り付けられ、
　前記画像取得コネクタは、前記垂直支持アームの第２の端部に取り付けられ、前記画像取得装置は、前記垂直支持アームに対して可動であり、
　前記画像取得装置は、それぞれ異なる方向からの前記対象の画像取得を可能にするように前記支持装置に可動に取り付けられる、イメージングシステム。」
の発明である点で一致し、上記相違点１に加え次の点において相違する。
（相違点３）
　前記水平支持アームが、第１の下向き軸を中心にピボット回転可能であるように前記頭上コネクタに連結されることについて、本願発明においては、「前記水平支持アームが、第１の下向き軸を中心にピボット回転可能であるように前記レールコネクタに取り付けられ」ているのに対し、引用発明１においては、「腕木３は天井に取付けられた矩形部材に対して横方向に旋回可能にヒンジ止めされ、腕木４は腕木３に対して横方向に旋回可能にヒンジ止めされ」ることから、水平支持アームに相当する「横方向の支承用の腕木４」が「横方向の支承用の腕木３」を介して「天井に取付けられた矩形部材に対して横方向に旋回可能にヒンジ止めされ」る点。
（３）上記相違点１については、上記第２［理由］２（５）ア（ア）で検討したとおりである。
（４）上記相違点３について検討する。
　（引１−イ）の「【００１７】図１に示した本発明による万能型Ｘ線検査装置は、天井に取付ける装置として構成されている・・・Ｃアーム１は天井における支持装置として二重矢印２の方向へ移動可能なように支承してもよい。図示されている実施例では互いに旋回可能にヒンジ止めされた多数の支承用の腕木３、４および４ａによりこれらの腕木の旋回による相応の長手方向の移動が可能であり」との記載によれば、引用発明１が「横方向の支承用の腕木３及び４」を採用している理由は、これらの腕木の旋回によりＣアーム１を図１の二重矢印２の方向へ移動可能とするためであるが、Ｃアーム１を図１の二重矢印２の方向へ移動可能とすることは必須の要件ではないと解される。
　そうすると、引用発明１において、Ｃアーム１を図１の二重矢印２の方向へ移動可能とする構造に代えて、旋回可能にヒンジ止めされ横方向の支承用の腕木３及び４を横方向の支承用の腕木４のみとし、横方向の支承用の腕木４を天井に取付けられた矩形部材に対して横方向に旋回可能にヒンジ止めすることにより、上記相違点３に係る本願発明の発明特定事項を得ることは、当業者であれば容易に想到し得ることである。
（５）本願発明によってもたらされる効果は、引用文献１、６及び７の記載事項から当業者が予測し得る程度を超えるものではない。
（６）したがって、本願発明は、引用発明１、引用文献６技術事項及び引用文献７技術事項に基づいて当業者が容易に発明をすることができたものである。
第４　むすび
　以上のとおりであるから、本願発明は、特許法２９条２項の規定により特許を受けることができない。
　したがって、その余の請求項に係る発明について検討するまでもなく、本願は拒絶すべきものである。
　よって、結論のとおり審決する。